(57)【要約】【課題】面倒な作業を経ることなく、また皺、よれの発生を有効に防止可能であり、更に鮮明さを損なうことなく、印刷物を額装可能とする。【解決手段】フレーム２と、フレーム２内に支持される、透明体本体３０１とその裏面に形成した接着層３０２とそれに着脱自在に貼着した剥離紙３０３を備えてその裏面に印刷物の表面を貼着可能とした透明体３と、透明体３の裏面においてフレーム２内に係止される裏板４と、透明体３に貼着した印刷物の裏面を剥がし取るための、剥がし部材本体５０１とその表面に形成した接着層５０２とそれに着脱自在に貼着した剥離紙５０３を有する剥がし部材５と、剥がし部材５によって裏面を剥がし取った印刷物の裏面に貼着される、仕上げ部材本体６０１とその表面に形成した接着層６０２とそれに着脱自在に貼着した剥離紙６０３を有する仕上げ部材６を備える。【選択図】　　　　　　　図１
0003099655.tif 000002
【実用新案登録請求の範囲】
【請求項１】
略四角形状に枠組みされたフレーム（２）と、
該フレーム（２）内に支持される透明体（３）と、
該透明体（３）の裏面に重ね合わされる配置で前記フレーム（２）の内周に係止される裏板（４）と、を備えた額において、
前記透明体（３）の裏面に接着層（３０２）を形成するとともに、この接着層（３０２）に、着脱自在に剥離紙（３０３）を貼着したことを特徴とする額。
【請求項２】
略四角形状に枠組みされたフレーム（２）と、
該フレーム（２）内に支持される、透明体本体（３０１）と、該透明体本体（３０１）の裏面に形成された接着層（３０２）と、該接着層（３０２）に着脱自在に貼着された剥離紙（３０３）と、を備え、前記接着層（３０２）に任意の印刷物の表面を貼りつけることを可能とした透明体（３）と、
該透明体（３）の裏面に重ね会わされる配置で前記フレーム（２）の内周に係止される裏板（４）と、
前記透明体本体（３０１）に貼り付けた印刷物の裏面を剥がし取るための、剥がし部材本体（５０１）と、該剥がし部材本体（５０１）の表面に形成した接着層（５０２）と、該接着層（５０２）に着脱自在に貼着した剥離紙（５０３）と、を有する剥がし部材（５）と、
前記透明体本体（３０１）の接着層（３０３）に貼り付けるとともにその裏面を前記剥がし部材（５）により剥がし取った印刷物の裏面に貼着される、仕上げ部材本体（６０１）と、該仕上げ部材本体（６０１）の表面に形成された接着層（６０２）と、該接着層（６０２）に着脱自在に貼着された剥離紙（６０３）と、を有する仕上げ部材（６）と、を備えることを特徴とする額。
【考案の詳細な説明】
【０００１】
【考案が属する技術分野】
本考案は新聞、雑誌等の印刷物に掲載された写真、絵画等を挟み込んで支持するための額に係り、より詳しくは、特に煩雑な作業を経ること無く、新聞、雑誌等に掲載された写真、絵画等を、皺、よれ等を発生させることなく額装可能とする額に関する。
【０００２】
【従来の技術】
従来から、個人的な趣味において、新聞、雑誌等に掲載されている写真、絵画等を切りとって、これを所望する箇所に貼り付け、あるいは係止したり、又は下敷き等に挟み込むことが行われており、例えば好みの芸能人等の写真を切りとって保存しておくことは学生等の間では頻繁に行なわれている。
【０００３】
そして、過去においては、このような好みの写真、絵画等を有効に剥ぎ取る方法として、印刷物の表裏剥離方法が提案されている（特開昭６２−２３６７９９号公報参照）。
【０００４】
【考案が解決しようとする課題】
しかしながら、単に新聞、雑誌等に掲載されている写真、絵画等を切り取り取って所望する箇所に貼り付け、あるいは係止しておくのみでは、時間の経過によってこれらの写真、絵画等が損傷、劣化していってしまうという問題点が考えられる。
【０００５】
この点、これらの切り取った写真、絵画等を額に挿装することで、汚れ、劣化等を防止することは可能であるが、特に雑誌、新聞等から切り取った写真、絵画等は薄いものであるために、これを額装した場合には、水分等の影響で皺、よれが生じてしまうおそれがある。
【０００６】
一方、前述の特開昭６２−２３６７９９号に提案される方法では、印刷物をシートに貼りつける方法を採用しているため、これにより剥がし取った新聞、雑誌等に掲載された写真、絵画等を額装した場合には、皺、よれが生じることは防止できるが、かかる場合には、単に切り取る場合と異なり、面倒な作業を経た後に額装しなければならないという問題点があるとともに、印刷物の表面側にシートと透明体の２層が存在するために、額装により写真、絵画等の鮮明さが損なわれてしまうという問題点もある。
【０００７】
そこで、本考案は、面倒な作業を経ることなく、また皺、よれの発生を有効に防止可能であり、更に鮮明さを損なうことなく、新聞、雑誌等に掲載された写真、絵画等を額装可能とした額を提供することを課題としている。
【０００８】
【課題を解決するための手段】
本考案の額は、略四角形状に枠組みされたフレームと、該フレーム内に支持される透明体と、該透明体の裏面に重ね合わされる配置で前記フレームの内周に係止される裏板と、を備えた額において、
前記透明体の裏面に接着層を形成するとともに、この接着層に、着脱自在に剥離紙を貼着したことを特徴としている。
【０００９】
本考案の額では、額を構成する透明体の裏面に接着層を形成するとともに、この接着層には剥離紙を着脱自在に貼着している。
【００１０】
そして、この構成において、透明体の剥離紙を剥がして接着層を露出させた後に、新聞、雑誌等に掲載されている写真、絵画等をこの露出させた接着層に貼着し、その状態で、透明体をフレームに装着する。
【００１１】
そうすると、新聞、雑誌に掲載されている写真、絵画等を額装することができるとともに、透明体にこれらの写真、絵画等を直接貼着しているために、写真、絵画等に皺、よれ等が発生することも防止可能である。
【００１２】
また、透明体に直接写真、絵画等を貼着するために、面倒な作業を経る必要もない。即ち、前述の印刷物の表裏剥離方法（特開昭６２−２３６７９９号公報参照）では、シートに印刷物の表面を貼り付ける必要があるために、これを額装する場合には、シートに印刷物を貼り付ける作業と、そのシートを額装する作業が必要であるが、本考案では、透明体に直接写真、絵画等を貼り付けるために、作業を少なくすることが可能である。
【００１３】
また、前述の印刷物の表裏剥離方法（特開昭６２−２３６７９９号公報参照）により写真、絵画等を貼り付けたシートを額装した場合では、写真、絵画等の表面にシートと透明体の２層が形成されてしまい、これによって写真、絵画等の鮮明さが損なわれてしまうおそれがあるが、本考案では、透明体に直接に写真、絵画等を貼り付けるために、写真、絵画等の表面は透明体の１層のみであるため、写真、絵画等の鮮明さを維持することが可能である。
【００１４】
【考案の実施の形態】
本考案の額では、略四角形状に枠組みされたフレームと、このフレーム内に支持される透明体と、この透明体の裏面に重ね合わされる配置で前記フレームの内周に係止される裏板とを備えるとともに、前記透明体は、透明体本体と、この透明体本体の裏面に形成した接着層と、この接着層に着脱自在に貼着された剥離紙とを有している。
【００１５】
ここで、透明体に写真、絵画等を貼り付けた後に、その貼り付けた写真、絵画等の裏面を剥がし取るための剥がし部材を備えるとともに、この剥がし部材を、剥がし部材本体と、この剥がし部材本体の表面に形成した接着層と、この接着層に着脱自在に貼着した剥離紙とにより構成し、この剥がし部材によって、透明体に貼り付けた写真、絵画等の裏面を剥がしとることを可能にするとよく、これにより、額装した写真、絵画等をより鮮明にすることが可能である。
【００１６】
また、それに加えて、前記剥がし部材により剥がし取った印刷物の裏面に貼着される仕上げ部材を備えるとともに、この仕上げ部材を、仕上げ部材本体と、この仕上げ部材本体の表面に形成された接着層と、この接着層に着脱自在に貼着された剥離紙とにより構成し、この仕上げ部材を、前記剥がし部材によって裏面を剥がし取った写真、絵画等の裏面に貼り付けるとよく、これにより、額装した写真、絵画等をより鮮明にするこれを用いることによって、額装した写真、絵画等をより鮮明にすることが可能である。
【００１７】
【実施例】
本考案の額の実施例について図面を参照して説明すると、図１は、本実施例の額を説明するための分解図である。
【００１８】
そして、図において２はフレームであり、本実施例においてこのフレーム２は、４本の長尺状のフレーム材を略四角形状に枠組みすることにより構成されており、前記フレーム材の素材としては、木、樹脂、金属等が考えられる。
【００１９】
ここで、図２は、前記フレーム２の構造を示す断面図であり、本実施例において前記フレーム２は、その内周側全域において載置棚部２０１が形成されるとともに、その裏面任意の箇所には、フレーム２の内周側に透明体、裏板等を係止するための、トンボと言われる係止部材２０２が回動自在に装着されている。
【００２０】
次に、図１において３は透明体であり、即ち、本実施例の額では透明体３を備えており、この透明体３を前記フレーム２の内周に係止可能としている。即ち、前記透明体３は、その周縁部が前記載置棚部２０１に載置可能な外形寸法をしており、透明体３の周縁部を載置棚部２０１に載置することで、フレーム２の内周に透明体３を係止可能としている。
【００２１】
ここで、図３は前記透明体３の構造を示す断面図であり、本実施例において前記透明体３は、樹脂等により形成された透明な透明体本体３０１と、この透明体本体３０１の裏面に形成された接着層３０２と、この接着層３０２に着脱自在に貼着された剥離紙３０３とにより構成されており、これにより、剥離紙３０３を剥がして接着層３０２を露出させた後に、接着層３０２に、好みの写真、絵画等の表面を貼着可能としている。
【００２２】
次に、図１において４は裏板であり、本実施例においてこの裏板４は、前記透明体をフレーム２に支持するために用いられる。
【００２３】
即ち、本実施例において前記裏板４は、前記透明体３とほぼ同一の外形寸法を有し、前記載置棚部２０１にその周縁を載置可能としているとともに、不透明な素材により形成されている。そして、前記透明体３に重ね合わせるようにして前記フレーム２の内周に載置した後に、前記係止部材２０２の一端部によってフレーム２に係止され、これによって、透明体３をフレーム２の内周側に係止可能としている。
【００２４】
次に、図１において５は剥がし部材であり、本実施例においてこの剥がし部材５は、前記透明体３の接着層３０２に貼着した写真、絵画等の裏面を剥がしとるために用いられる。
【００２５】
ここで、図４は前記剥がし部材５の構造を示す断面図であり、本実施例において前記剥がし部材５は、紙等により形成されたシート状の剥がし部材本体５０１と、この剥がし部材本体５０１の一方の面に形成された接着層５０２と、この接着層５０２に着脱自在に貼着された剥離紙５０３とにより構成されているとともに、全体を前記透明体３とほぼ同様の外形寸法としており、これにより、前記透明体３に写真、絵画等を貼り付けた後に、その貼り付けた写真、絵画等の裏面を剥がし取ることを可能にしている。
【００２６】
即ち、新聞、雑誌等の印刷物に掲載された写真、絵画等の表面を透明体３の裏面に貼り付けた場合には、何ら手当てをしない場合には、写真、絵画等が掲載されているページの裏面のページに掲載されている記事等がそのまま透明体３の裏面に残ってしまい、特に印刷物が薄い場合などは、この記事等が写真、絵画等に浮き出てしまうことがある。そこで、本実施例の額では、前記透明体３に写真、絵画等を貼りつけた後に、これらの写真、絵画等の裏面に掲載されている記事等の部分を剥がしとるための剥がし部材５を備えて構成されている。
【００２７】
但し、例えば、裏面のページに何らの印刷等も施されていない印刷物を透明体３に貼りつける場合には不用であるため、この剥がし部材５は必ずしも必要なものではなく、これを備えない構成としてもよい。
【００２８】
次に、図１において６は仕上げ部材であり、本実施例においてこの仕上げ部材６は、図５において断面図で示すように、仕上げ部材本体６０１と、この仕上げ部材本体６０１の表面に形成された接着層６０２と、この接着層６０２に着脱自在に貼着された剥離紙６０３とにより構成しており、前記剥がし部材５によって裏面を剥がし取った写真、絵画等の裏面に貼着するために用いられる。
【００２９】
即ち、前記剥がし部材５によって裏面を剥がし取った後には、写真、絵画等はその厚みが極めて薄くなってしまうために、何らの手当てをしない場合には、例えば裏板の色によっては写真、絵画等の鮮明さが影響を受けてしまうことが考えられる。そこで、本考案では、このような問題を解決するために、仕上げ部材６を備えて、この仕上げ部材６を、裏面を剥がし取った写真、絵画等の裏面に貼り付けることにより、写真、絵画等の鮮明さを維持することを可能としている。従って、この仕上げ部材６としては、例えば白色等の、写真、絵画等が映える色にするとよく、その厚みも薄いものにするとよい。
【００３０】
但し、この仕上げ部材６は必ずしも必要なものではなく、例えば、裏板における透明体３に当接する側の色を白色等にし、裏板４における透明体３との当接面を仕上げ部材に兼用してもよい。
【００３１】
次に、このように構成される本実施例の額の使用方法について説明すると、本実施例を用いて新聞、雑誌等に掲載されている写真、絵画等を額装する場合には、まず、新聞、雑誌等に掲載されている、額装を欲する写真、絵画等７を透明体３に貼着可能な寸法に切り取るとともに、図６に示すように、透明体３の剥離紙３０３を剥がして接着層３０２を露出させながら、この露出させた接着層に、前記切り取った写真、絵画等７の表面を重ね合わせて貼り付ける。
【００３２】
次に、図７において、剥がし部材５の剥離紙５０３を剥がして剥がし部材５の接着層５０２を露出させた後に、この接着層５０２を、前記透明体３に貼り付けた写真、絵画等７の裏面に重ね合わせて貼着した後に、この剥がし部材５を剥がし取り、これによって、写真、絵画等７の裏面に掲載された記事等を剥がし取って、透明体３に写真、絵画等７の部分のみが貼着された状態にする。
【００３３】
次に、図８において、仕上げ部材６の剥離紙６０３を剥がしとって接着層６０２を露出させた後に、仕上げ部材６を、この接着層６０２が前記透明体３側になるような配置で、透明体３における写真、絵画等７を貼りつけた面に重ね合わせ、これにより透明体３への写真、絵画等７の貼り付けを完了する。
【００３４】
そしてその後は、透明体３をフレーム２に係止した後にその裏面に裏板４を係止するとともにトンボ等の係止部材２０２によって裏板４をフレームに固定し、これによって、写真、絵画等７の額装が完了する。
【００３５】
このように、本実施例の額では、新聞、雑誌等に掲載された写真、絵画等を額装することができるとともに、皺、よれ等の発生を防止することができ、また、写真、絵画等の鮮明さを維持することが可能である。
【００３６】
【考案の効果】
本考案の額は以上説明した形態で実施され、以下に記載するような効果を奏する。
【００３７】
本考案の額は、略四角形状に枠組みされたフレームと、該フレーム内に支持される透明体と、該透明体の裏面に重ね合わされる配置で前記フレームの内周に係止される裏板と、を備えた額において、前記透明体の裏面に接着層を形成するとともに、この接着層に、着脱自在に剥離紙を貼着したことを特徴としている。
【００３８】
そして、この構成において、新聞、雑誌等に掲載されている写真、絵画等を透明体の裏面に貼着させた後に透明体をフレームに装着することで、新聞、雑誌に掲載されている写真、絵画等を額装することができる。
【００３９】
そのために、新聞、雑誌等に掲載されている写真、絵画等を容易に額装することができるとともに、透明体にこれらの写真、絵画等を直接貼着しているために、写真、絵画等に皺、よれ等が発生することも防止可能である。
【図面の簡単な説明】
【図１】本考案の額の実施例を説明するための分解図である。
【図２】本考案の額の実施例に用いるフレームを説明するための断面図である。
【図３】本考案の額の実施例に用いる透明体を説明するための断面図である。
【図４】本考案の額の実施例に用いる剥がし部材を説明するための断面図である。
【図５】本考案の額の実施例に用いる仕上げ部材を説明するための断面図である。
【図６】本考案の額の使用方法を説明するための図である。
【図７】本考案の額の使用方法を説明するための図である。
【図８】本考案の額の使用方法を説明するための図である。
【符号の説明】
１　　額
２　　フレーム
２０１　　載置棚部
２０２　　トンボ
３　　透明体
３０１　　透明体本体
３０２　　接着層
３０３　　剥離紙
４　　裏板
５　　剥がし部材
５０１　　剥がし部材本体
５０２　　接着層
５０３　　剥離紙
６　　仕上げ部材
６０１　　仕上げ部材本体
６０２　　接着層
６０３　　剥離紙
７　　印刷物
【図１】
0003099655.tif 000003
【図２】
0003099655.tif 000004
【図３】
0003099655.tif 000005
【図４】
0003099655.tif 000006
【図５】
0003099655.tif 000007
【図６】
0003099655.tif 000008
【図７】
0003099655.tif 000009
【図８】
0003099655.tif 000010